(57)【要約】      （修正有）【課題】一人でも能率よく篩作業のできる篩機能付き一輪車を提供する。【解決手段】物品や物質を入れるためのバケット部１を設け、バケット部底部には篩作業に適したメッシュによる金網３を設け、バケット部を地上に安定位置させるためのフレームと、フレームに軸支される車輪とを有し、バケット部両側に、補助ステー１１で補強されたバケット移動および揺動のための一対の柄９を設けた。【選択図】図１
0003193793.tif 000002
【実用新案登録請求の範囲】
【請求項１】
物品や物質を入れるためのバケット部を設け、該バケット部底部には適当メッシュによる金網を設け、バケット部を地上に安定位置させるためのフレームと、該フレームに軸支される車輪とを有し、バケット部両側に、バケット移動および揺動のための一対の柄を設けたことを特徴とする篩機能付き一輪車。
【請求項２】
バケット部の一方の側面に、適宜支持部材にてバケット部を覆うサイズの金網を開閉可能に設け、該金網閉時におけるバケット部に対する金網の支持手段を設けてなる請求項１記載の篩機能付き一輪車。
【請求項３】
バケット部もしくは金網の適所に振動機を取り付けてなる請求項１または２記載の篩機能付き一輪車。
【考案の詳細な説明】
【技術分野】
【０００１】  この考案は、篩機能を有する一輪車に関する。
【背景技術】
【０００２】  従来より、主に工事現場等にて一輪車が多用されているが、この一輪車に篩機能を設けたものは見当たらない。
【考案の概要】
【考案が解決しようとする課題】
【０００３】  一輪車はバケット部とこのバケット部を支えるフレームおよび単一の車輪にてその主要部が構成され、土砂や砕石などを運ぶために広く利用されている。一方、土砂等の粒度選別のための篩器もよく利用されている。従来の篩器は木材等で枠を造り、この枠の底部に細かいメッシュの金網を張設して形成されている。使用時は、分別しようとするものをこの枠内に入れ、二人で枠の両端をもって前後に揺すると、このメッシュよりも小さいものは落下し、大きいものは金網上に残るので、これを捨てることにて選別ができる。
すなわち、この篩作業は二人がかりの作業であるとともに、この専用の篩器の準備と場所を必要とする。
本案は以上に鑑み、一人で篩作業を行うことができるとともに、物品運搬にも利用できる新規かつ有用なる物品を提供することを目的として発案されたものである。
【課題を解決するための手段】
【０００４】  課題を解決する手段として本案は以下の構成とした。
すなわち、物品や物質を入れるためのバケット部を設け、該バケット部底部には適当メッシュによる金網を設け、バケット部を地上に安定位置させるためのフレームと、該フレームに軸支される車輪とを有し、バケット部両側に、バケット移動および揺動のための一対の柄を設ける。本案は以上の構成よりなる篩機能付き一輪車である。
【考案の効果】
【０００５】  本案は下記の効果を有する。
１．公知の一輪車のバケット部底部に適宜メッシュの金網を設けたので、この一輪車に揺  動を与えることにて、篩器として利用することができ、かつ、一般物品の運搬用として  も用いることができる。
２．金網蓋を付設することにて、篩作業時におけるバケット部側方からの物質漏洩を防止  することができる。
３．振動機を付設することにて、篩作業を自動的に行うことができる。
【図面の簡単な説明】
【０００６】
【図１】本考案の平面図
【図２】本考案の正面図
【図３】本考案の左側面図
【図４】本考案の他例における正面図
【図５】本考案の他例における平面図（上部金網開状態）
【図６】本考案の要部構造説明図
【考案を実施するための最良の形態】
【０００７】  以下、本考案の実施形態について説明する。
図において、１は無底のバケット部で、上方に向けて広がる鉄板製の側板であり、その上縁には管体２が周設される。３は金網で、篩作業に適したメッシュを有し、前記のバケット部底部に内接固着される。４はバケット部を支える管体によるフレームである。
このフレームは複数回の折曲にて形成される。まずフレームの一端はバケット部の後部側面に所定角にて固着され、その下方は傾斜して地面に接する円弧状の接地部５を形成し、今度は緩やかに上方へ伸びるとともに中央寄りへと変化して水平に伸びる部分となり、ここにステー６が下垂して位置し、このステーはベアリングを内蔵し、このベアリングに挿通される軸に、ゴムタイヤを用いた車輪７が回動可能に軸支される。
ステーはその後、前方へと伸びて車輪の前方位置にて折曲され、既述と逆の変形にて再びバケット部後部側面に固着される。【０００８】  従って、このステーにて車輪が保持され、接地部はバケット部下方に一対が位置するものとなる。８は前部補助ステーで、Ｖ形に形成された管体であって、その下端は前記ステーの前端上面に固着され、上端はバケット部前端に固着される。９は柄で、適当長の管体を主部として形成され、バケット部にその一端近傍が固着され、他端はバケット部後方に突出している。この柄は一対が設けられる。１０は柄補助ステーで、柄とフレーム間に固着される。１１は上部補強ステーで、各柄間に水平に固着される。
以上により、本案の一実施形態が設けられるが、金網を除く各部の構成は、公知の一輪車と同様の構成である。【０００９】  次に本案の使用について説明する。まず図２のごとく地上に本案品を置く。
このとき、地面上に接しているのは、車輪と２カ所の接地部である。篩にかけようとする土砂等をスコップ等にてすくってバケット部内に入れる。柄を持ち、バケット部を上下に揺すると、金網上の土砂等は揺動し、金網メッシュより小さい粒子は金網をくぐり抜けて落下し、大きい粒子は金網上に残るので選別することができる。
この揺動は上下を基本とし、必要に応じて左右も行うが、バケット部内の土砂等がバケット上部から漏れることのないよう留意が必要である。【００１０】  図４〜図６は、本案の他例を示すものである。図において、２０は上部金網で、前記金網と同じメッシュの金網であって、そのサイズは前記バケット部を覆うに足るサイズである。また、この金網の外周には管体２１が設けられる。２２は接続リングで、金属管体であってバケット部側方上部に穿設される孔（図示略）にて上部金網の管体と結びつけている部品である。２３は保持リングで、前記管体２１の適所に設けられる。２４はストッパーで、適当長の管体を主部として形成される。２５はストッパー保持具で、バケット部後部側方に取り付けられる柔軟性を有する２本の管体である。
本例はバケット部を金網で覆うことにより、揺動時の土砂等のバケット上方からの漏洩を防止するよう構成したものである。【００１１】  本例の使用に際しては、まず上部金網を図のごとく開状態とし、バケット部内に土砂等を入れ、上部金網を回動させてバケット部上面に位置させる。ストッパーを後方に移動させておき、前記の保持リングにストッパー先端から挿入して、バケット部に上部金網をロックする。ストッパーはストッパー保持具内にあり、かつスライド可能のため、ストッパーのバケット部に対する前後方向の移動は自在である。
この状態にて、土砂等を入れたバケット部を上下に揺動させることにて、、バケット部上方からの土砂等漏洩を防ぎつつ篩機能を発揮させることができる。作業後は、既述と逆の手順にて上部金網を開いて、金網上の残渣を捨てることができる。
なお、図２および図４の仮想線にて示すように、市販の振動機（電動）２６をバケット部もしくは金網に取り付けることにより、バケット部および金網に連続的に振動を与えることによって、篩作業をより効率的に行うことができる。【００１２】  以上、本案について記したが、本案は公知の一輪車のバケット部底部に適宜メッシュの金網を設けたところにその特徴を有し、一人にても篩作業ができるものである。
従来は既述のように二人での篩作業であるとともに、専用の篩器を必要としたが、本案にてより効率的なる篩作業を可能とし、また、振動機の付設にてさらに能率のよい篩作業を可能とする、有用なる装置が得られるものとなったのである。
また、本案は従来の一輪車を利用したものであるため、従来の一輪車同様に、物品運搬機能を有して、より便利に使うことができる。なお、既述の例は実施の一例であって、近似の他の構成としてもよい。以上のごとく、本案によって利便性に富む新たな篩手段を得ることができる。
【符号の説明】
【００１３】１    バケット部
２    管体
３    金網
４    フレーム
５    接地部
６    ステー
７    車輪
８    前部補助ステー
９    柄
１０  柄補助ステー
１１  上部補助ステー
２０  上部金網
２１  管体
２２  接続リング
２３  保持リング
２４  ストッパー
２５  ストッパー保持具
２６  振動機
【図１】
0003193793.tif 000003
【図２】
0003193793.tif 000004
【図３】
0003193793.tif 000005
【図４】
0003193793.tif 000006
【図５】
0003193793.tif 000007
【図６】
0003193793.tif 000008